(57)【特許請求の範囲】
【請求項１】
タッチパネルを含む表示手段と、
音声出力手段と、
複数の単語の各模範音声を予め記憶した模範音声記憶手段と、
ユーザ音声を録音する録音手段と、
前記音声出力手段による前記模範音声の出力処理、前記録音手段に録音されたユーザ音声の出力処理、及び前記録音手段によるユーザ音声の録音処理のうち、少なくとも何れかの処理が行われた単語の履歴を記憶する履歴記憶手段と、
母音又は子音を、当該母音又は当該子音毎に、前記履歴記憶手段に記憶されている単語に含まれている頻度を識別可能に、前記表示手段に表示させ、
前記識別可能に表示された前記母音又は前記子音のうち、ユーザの前記タッチパネルへの操作によって選択された前記母音又は前記子音を含む単語を前記履歴記憶手段に記憶された単語から抽出し、表示させる表示制御手段と、
を備えることを特徴とする音声出力装置。
【請求項２】
請求項１に記載の音声出力装置において、
前記履歴記憶手段は、前記音声出力手段による前記模範音声の出力処理と、前記録音手段によるユーザ音声の録音処理と、前記音声出力手段による前記模範音声の再出力処理と、前記音声出力手段による前記録音手段に録音されたユーザ音声の出力処理とが、一の単語について連続して行われた場合に、この連続した処理が行われた旨の付加情報を当該一の単語に対応付けて記憶することを特徴とする音声出力装置。
【請求項３】
請求項１又は２に記載の音声出力装置において、
前記表示制御手段は、
前記母音又は前記子音毎に、当該母音又は当該子音を含んだ単語が前記履歴記憶手段に記憶されている数を前記頻度として識別可能に前記表示手段に表示させることを特徴とする音声出力装置。
【請求項４】
請求項１〜３のいずれか一項に記載の音声出力装置において、
前記表示制御手段は、前記母音又は前記子音毎に、当該母音又は当該子音が前記履歴記憶手段に記憶されている単語に含まれている頻度を識別可能に、前記表示手段に一覧表示させることを特徴とする音声出力装置。
【請求項５】
請求項４に記載の音声出力装置において、
前記表示制御手段は、前記母音又は前記子音毎に、当該母音又は当該子音が前記履歴記憶手段に記憶されている単語に含まれている頻度を色で識別可能に、色分けして前記表示手段に表示させることを特徴とする音声出力装置。
【請求項６】
請求項１〜５のいずれか一項に記載の音声出力装置において、
ユーザが前記表示手段に表示された前記母音又は前記子音から１つを選択する選択手段と、
前記選択手段によって選択された前記母音又は前記子音を含む単語について、前記音声出力手段による当該単語の前記模範音声の出力処理と、前記録音手段によるユーザ音声の録音処理と、前記音声出力手段による前記模範音声の再出力処理と、当該録音されたユーザ音声の出力処理と、を連続して行うように前記音声出力手段及び前記録音手段を制御する制御手段と、
を更に備えることを特徴とする音声出力装置。
【請求項７】
タッチパネルを含む表示手段と、音声出力手段と、複数の単語の模範音声を予め記憶した模範音声記憶手段と、ユーザ音声を録音する録音手段とを備えるコンピュータに、
前記音声出力手段による前記模範音声の出力処理、前記音声出力手段による前記録音されたユーザ音声の出力処理、及び前記録音手段による前記ユーザ音声の録音処理のうち、少なくとも何れかの処理が行われた単語の履歴を記憶する履歴記憶機能と、
母音又は子音を、当該母音又は当該子音毎に、前記履歴記憶機能により記憶されている単語に含まれている頻度を識別可能に、前記表示手段に表示させ、
前記識別可能に表示された前記母音又は前記子音のうち、ユーザの前記タッチパネルへの操作によって選択された前記母音又は前記子音を含む単語を前記履歴記憶機能によって記憶された単語から抽出し、表示させる表示制御機能と、
を実現させることを特徴とする音声出力プログラム。
【請求項８】
タッチパネルを含む表示手段と、音声出力手段と、複数の単語の模範音声を予め記憶した模範音声記憶手段と、ユーザ音声を録音する録音手段とを備えるコンピュータを用いた音声出力方法であって、
前記音声出力手段による前記模範音声の出力処理、前記音声出力手段による前記録音されたユーザ音声の出力処理、及び前記録音手段による前記ユーザ音声の録音処理のうち、少なくとも何れかの処理が行われた単語の履歴を記憶する履歴記憶ステップと、
母音又は子音を、当該母音又は当該子音毎に、前記履歴記憶ステップにより記憶されている単語に含まれている頻度を識別可能に、前記表示手段に表示させ、
前記識別可能に表示された前記母音又は前記子音のうち、ユーザの前記タッチパネルへの操作によって選択された前記母音又は前記子音を含む単語を前記履歴記憶ステップによって記憶された単語から抽出し、表示させる表示制御ステップと、
を含むことを特徴とする音声出力方法。
【発明の詳細な説明】
【技術分野】
【０００１】
本発明は、音声出力装置、音声出力プログラムおよび音声出力方法に関する。
【背景技術】
【０００２】
従来、電子辞書などの音声出力装置として、例えばユーザが単語等の音声の再生を指示すると、指示された単語等をネイティブスピーカーの模範音声で出力可能なものが知られている。
【０００３】
また、ユーザ（学習者）の音声を録音し、ネイティブスピーカーの模範音声と聞き比べたり、互いの波形を比較したりしながら発声練習を行うことができるものも提案されている（例えば、特許文献１参照）。
【先行技術文献】
【特許文献】
【０００４】
【特許文献１】特開２００３−１６２２９１号公報
【発明の概要】
【発明が解決しようとする課題】
【０００５】
しかしながら、上記従来の音声出力装置では、ユーザ音声と模範音声との比較はできるものの、ユーザが選択した１つの単語やテキストについて実行されただけでこの比較が終了してしまう。その結果、ユーザは自己の学習傾向を把握できず、例えば苦手とする発音の認識などがしづらいため、学習効率が高いとは言い難かった。
そこで、本発明の主な目的は、従来に比べて発声練習の学習効率を向上させることができる音声出力装置、音声出力プログラムおよび音声出力方法を提供することにある。
【課題を解決するための手段】
【０００６】
上記課題を解決するため、本発明は、音声出力装置であって、
タッチパネルを含む表示手段と、
音声出力手段と、
複数の単語の各模範音声を予め記憶した模範音声記憶手段と、
ユーザ音声を録音する録音手段と、
前記音声出力手段による前記模範音声の出力処理、前記録音手段に録音されたユーザ音声の出力処理、及び前記録音手段によるユーザ音声の録音処理のうち、少なくとも何れかの処理が行われた単語の履歴を記憶する履歴記憶手段と、
母音又は子音を、当該母音又は当該子音毎に、前記履歴記憶手段に記憶されている単語に含まれている頻度を識別可能に、前記表示手段に表示させ、
前記識別可能に表示された前記母音又は前記子音のうち、ユーザの前記タッチパネルへの操作によって選択された前記母音又は前記子音を含む単語を前記履歴記憶手段に記憶された単語から抽出し、表示させる表示制御手段と、
を備えることを特徴とする。
【発明の効果】
【０００７】
本発明によれば、従来に比べて発声練習の学習効率を向上させることができる。
【図面の簡単な説明】
【０００８】
【図１】電子辞書の概略構成を示す平面図である。
【図２】電子辞書の制御回路を概略的に示すブロック図である。
【図３】音声出力処理の流れを示すフローチャートである。
【図４】電子辞書の動作例を説明するための図である。
【図５】電子辞書の動作例を説明するための図である。
【発明を実施するための形態】
【０００９】
以下、図面を参照しながら、本発明にかかる音声出力装置を電子辞書に適用した場合の実施形態の一例について説明する。
【００１０】
［外観構成］
始めに、本実施形態における電子辞書１の外観構成について説明する。
図１は、電子辞書１の概略構成を示す平面図である。
この図に示すとおり、電子辞書１は、主にディスプレイ２、キー群６、スピーカー７、マイク８などを備えている。
【００１１】
ディスプレイ２は、ユーザによるキー群６の操作に応じた文字や符号など、各種データを表示する部分である。
ディスプレイ２は、ＬＣＤ（Liquid Crystal Display）やＥＬＤ（Electronic Luminescence Display）などによって構成されている。
ディスプレイ２は、タッチパネル２２（図２参照）と一体的に形成されており、手書き入力などの操作を受け付け可能となっている。
【００１２】
キー群６は、ユーザから電子辞書１を操作するための操作を受ける各種キーを有している。
キー群６は、文字キー６ａ、カーソルキー６ｂ、訳／決定キー６ｃなどを有している。
【００１３】
文字キー６ａは、ユーザによる文字の入力などに使用されるキーである。
カーソルキー６ｂは、画面内の反転表示位置、つまりカーソル位置の移動などに使用されるキーであり、上下左右の方向を指定可能となっている。
訳／決定キー６ｃは、検索の実行や見出し語の決定などに使用されるキーである。
【００１４】
スピーカー７は、ユーザによるキー群６の操作に応じた音声を出力する部分である。
マイク８は、外部から音声を取り込む部分である。
【００１５】
［内部構成］
続いて、電子辞書１の内部構成について説明する。
図２は、電子辞書１の制御回路を概略的に示すブロック図である。
この図に示すとおり、電子辞書１は、主に表示部１０、入力部２０、音声入出力部３０、ＣＰＵ（Central Processing Unit）４０、フラッシュＲＯＭ（Read Only Memory）５０、ＲＡＭ（Random Access Memory）６０などを備え、各部がバス８０で相互にデータ通信可能に接続されている。
【００１６】
表示部１０は、ディスプレイ２を有している。
表示部１０は、ＣＰＵ４０から入力される表示信号に基づき、各種情報をディスプレイ２に表示するようになっている。
【００１７】
入力部２０は、キー群６およびタッチパネル２２を有している。
入力部２０は、押下されたキーやタッチパネル２２の位置に対応する信号をＣＰＵ４０に出力するようになっている。
【００１８】
音声入出力部３０は、スピーカー７及びマイク８を有している。
音声入出力部３０は、ＣＰＵ４０から入力される音声出力信号に基づいてスピーカー７に音声出力を行わせたり、ＣＰＵ４０から入力される録音信号に基づいてマイク８にユーザが発声した音声の録音を行わせたりするようになっている。
【００１９】
ＣＰＵ４０は、入力される指示に応じて所定のプログラムに基づいた処理を実行し、各機能部への指示やデータの転送などを行い、電子辞書１を統括的に制御するようになっている。
具体的には、ＣＰＵ４０は、入力部２０から入力される操作信号などに応じてフラッシュＲＯＭ５０に格納された各種プログラムを読み出し、当該プログラムに従って処理を実行する。そして、ＣＰＵ４０は、処理結果をＲＡＭ６０に保存するとともに、当該処理結果を表示部１０に適宜出力させる。
【００２０】
フラッシュＲＯＭ５０は、電子辞書１の各種機能を実現するためのプログラムやデータを記憶するメモリである。
本実施形態では、フラッシュＲＯＭ５０は、音声出力プログラム５２、辞書データベース群５４、単語音声データ群５６、学習履歴データ５８などを記憶している。
【００２１】
音声出力プログラム５２は、後述の音声出力処理（図３参照）をＣＰＵ４０に実行させるためのプログラムである。
【００２２】
辞書データベース群５４は、複数の辞書データベース５５を有している。
本実施形態では、辞書データベース群５４は、「英和辞典」の辞書データベース５５ａや「国語辞典」の辞書データベース５５ｂなどを有している。
これら辞書データベース５５には、単語（見出し語）とその単語の意味内容を含む説明情報とが対応付けされて複数格納されている。
【００２３】
単語音声データ群５６は、各種単語の模範音声が予め記憶されたものであり、各辞書データベース５５における見出し語の各単語の模範音声データ５７を有している。
本実施形態では、単語音声データ群５６は、「英和辞典」の辞書データベース５５ａに対応する英単語の模範音声データ５７ａを有している。
なお、この単語音声データ群５６は、同一の単語について複数の模範音声データ５７を有していても良い。
【００２４】
学習履歴データ５８は、ユーザによる単語の発声練習の履歴を蓄積記憶する。具体的に、学習履歴データ５８は、後述する模範音声の出力処理、ユーザ音声の録音処理、及び録音されたユーザ音声の出力処理のうち、少なくとも何れかの処理が行われた単語の履歴を蓄積記憶する。
また、学習履歴データ５８は、当該少なくとも何れかの処理が行われた単語（すなわち、ユーザが発声練習を行った単語）の数を、この単語に含まれる綴り（又は発音記号）毎に集計しつつ蓄積記憶する。
【００２５】
ＲＡＭ６０は、ＣＰＵ４０が実行する各種プログラムや、これらプログラムの実行にかかるデータなどを一時的に保持するメモリである。
【００２６】
［動作］
続いて、音声出力処理を実行する際の電子辞書１の動作について説明する。
図３は、音声出力処理の流れを示すフローチャートである。
【００２７】
音声出力処理は、ＣＰＵ４０がフラッシュＲＯＭ５０の音声出力プログラム５２を読み出して実行する処理である。この音声出力処理は、本実施形態では、ユーザが所定の操作により「聞き比べ学習モード」を選択することで実行される。
【００２８】
音声出力処理が実行されると、図３に示すとおり、まずＣＰＵ４０は、フラッシュＲＯＭ５０から学習履歴データ５８を読み出して、ユーザ（学習者）による過去の単語の発声練習の履歴が表示された学習履歴リストを、ディスプレイ２に表示させる（ステップＳ１）。
具体的に、この学習履歴リストは、綴り（又は発音記号）毎に、当該綴り（又は発音記号）を含んだ単語が学習履歴データ５８に記憶されている数を識別可能に表示したものである。
但し、学習履歴リストは、綴り（又は発音記号）毎に、当該綴り（又は発音記号）が学習履歴データ５８に記憶されている単語に含まれている頻度を、識別可能に表示したものであればよい。
なお、学習履歴リストは、当該頻度を綴り（又は発音記号）毎に容易に識別可能なように、当該頻度が一覧表示されていたり、色分けされていたりすることが好ましい。
【００２９】
次に、ＣＰＵ４０は、ユーザによる学習履歴リスト中のいずれか１つの綴り（又は発音記号）の選択操作を受け付けて（ステップＳ２）、この選択された綴り（又は発音記号）を含む単語を１つ表示させる（ステップＳ３）。
このとき、学習対象として表示される１つの単語（以下、「学習単語」という。）は、選択された綴り（又は発音記号）を含む複数の単語からランダムに選出されることとしてもよいし、例えば辞書データベース５５に予め登録された順番に沿って選出されることとしてもよい。また、これらのランダムな選出と登録順に沿った選出とを、ユーザが切り替えられるようになっていてもよい。
またこのとき、ＣＰＵ４０は、学習単語の説明情報を辞書データベース５５から読み出して、当該学習単語とともにディスプレイ２に表示させる。
【００３０】
次に、ＣＰＵ４０は、学習単語の模範音声を、フラッシュＲＯＭ５０の単語音声データ群５６から読み出して、ユーザのお手本としてスピーカー７から出力（再生）させる（ステップＳ４）。
【００３１】
次に、ＣＰＵ４０は、ユーザによる学習単語の音声をマイク８から取り込んでＲＡＭ６０に保存（録音）する（ステップＳ５）。
【００３２】
次に、ＣＰＵ４０は、ステップＳ４で出力した学習単語の模範音声を再び出力した後（ステップＳ６）、ステップＳ５で録音したユーザ音声をＲＡＭ６０から読み出してスピーカー７から出力させる（ステップＳ７）。
【００３３】
ここで、ＣＰＵ４０は、ステップＳ４での模範音声の出力処理と、ステップＳ５でのユーザ音声の録音処理と、ステップＳ６での模範音声の再出力処理と、ステップＳ７でのユーザ音声の出力処理とが、一の単語について連続して行われた場合に、この連続した処理が行われた旨の付加情報を当該一の単語に対応付けて学習履歴データ５８に記憶させる。
【００３４】
ステップＳ７での音声出力の後、ＣＰＵ４０は、以降の処理をユーザに選択させる処理選択エリアをディスプレイ２に表示させる。本実施形態では、この処理選択エリアにより、音声をもう一度聞くか、発声をやり直すか、次の単語の学習に移るか、或いは学習を終了するかをユーザが選択できるようになっている。
【００３５】
次に、ＣＰＵ４０は、処理選択エリアに対するユーザ操作により「音声をもう一度聞く」処理が選択されるか否かを判定し（ステップＳ８）、当該処理が選択されたと判定した場合には（ステップＳ８；Ｙｅｓ）、上述のステップＳ６へ移行する。
【００３６】
また、ステップＳ８において、「音声をもう一度聞く」処理が選択されないと判定した場合には（ステップＳ８；Ｎｏ）、ＣＰＵ４０は、処理選択エリアに対するユーザ操作により「発声のやり直し」処理が選択されるか否かを判定し（ステップＳ９）、当該処理が選択されたと判定した場合には（ステップＳ９；Ｙｅｓ）、上述のステップＳ４へ移行する。
【００３７】
また、ステップＳ９において、「発声のやり直し」処理が選択されないと判定した場合には（ステップＳ９；Ｎｏ）、ＣＰＵ４０は、処理選択エリアに対するユーザ操作により「次の単語への移行」処理が選択されるか否かを判定する（ステップＳ１０）。
そして、当該処理が選択されたと判定した場合には（ステップＳ１０；Ｙｅｓ）、ＣＰＵ４０は、現状の学習単語の次の単語を、ステップＳ２で選択された綴り（又は発音記号）を含む複数の単語のなかから上述のステップＳ３と同様に選出してその説明情報とともに表示させた後（ステップＳ１１）、上述のステップＳ４へ移行する。
【００３８】
また、ステップＳ１０において、「次の単語への移行」処理が選択されないと判定した場合には（ステップＳ１０；Ｎｏ）、ＣＰＵ４０は、処理選択エリアに対するユーザ操作により「学習の終了」処理が選択されるか否かを判定し（ステップＳ１２）、当該処理が選択されないと判定した場合には（ステップＳ１２；Ｎｏ）、他の処理へ移行する。
【００３９】
そして、ステップＳ１２において、ユーザにより「学習の終了」処理が選択されたと判定した場合には（ステップＳ１２；Ｙｅｓ）、ＣＰＵ４０は、音声出力処理を終了する。
【００４０】
［動作例］
続いて、上述した電子辞書１の動作について、具体例を示して説明する。
図４及び図５は、音声出力処理を実行する際の電子辞書１の動作例を説明するための図である。
【００４１】
まずユーザが所定の操作により「聞き比べ学習モード」を選択すると、図４（ａ）に示すとおり、ユーザによる過去の単語の発声練習の履歴が一覧表示された学習履歴リストＬが、ディスプレイ２に表示される（ステップＳ１）。
本動作例の学習履歴リストＬでは、ユーザにより発声練習された単語の数が、当該単語に含まれる綴り毎に４段階（３０語未満、３０語〜５９語、６０語〜９９語、１００語以上）に色分けされて表示される。
【００４２】
次に、ユーザが学習履歴リストＬのなかから綴り「Ｒ」を選択する操作を行うと（ステップＳ２）、図４（ｂ）に示すとおり、この綴り「Ｒ」を含む複数の単語から単語「ｌｅａｒｎ」が学習単語として選出され、その説明情報ととともにディスプレイ２に表示される（ステップＳ３）。
【００４３】
次に、単語「ｌｅａｒｎ」の模範音声がお手本としてスピーカー７から再生された後（ステップＳ４）、図４（ｃ）に示すとおり、ユーザによる単語「ｌｅａｒｎ」の音声がマイク８から取り込まれて録音される（ステップＳ５）。
【００４４】
次に、図４（ｄ）に示すとおり、単語「ｌｅａｒｎ」の模範音声がスピーカー７から再生された後（ステップＳ６）、図５（ａ）に示すとおり、録音されたユーザ音声がスピーカー７から再生される（ステップＳ７）。これにより、ユーザは、自己の音声と模範音声とを聞き比べることができる。
これらの音声が再生され終わると、図５（ｂ）に示すとおり、ディスプレイ２の処理選択エリア２１内に、「やり直し」ボタンＢ１、「もう一度聞く」ボタンＢ２、「次の語へ」ボタンＢ３及び「終了」ボタンＢ３が表示される。
【００４５】
次に、ユーザが「もう一度聞く」ボタンＢ２を選択する操作を行うと（ステップＳ８；Ｙｅｓ）、再び単語「ｌｅａｒｎ」の模範音声とユーザ音声がスピーカー７から再生される（ステップＳ６，Ｓ７）。
【００４６】
また、ユーザが「やり直し」ボタンＢ１を選択する操作を行うと（ステップＳ８；Ｎｏ、Ｓ９；Ｙｅｓ）、単語「ｌｅａｒｎ」の模範音声が再生された後（ステップＳ４）、ユーザ音声の再録音が行われる（ステップＳ５）。そして、単語「ｌｅａｒｎ」の模範音声がスピーカー７から再生された後（ステップＳ６）、新たに録音し直されたユーザ音声がスピーカー７から再生される（ステップＳ７）。
【００４７】
また、ユーザが「次の語へ」ボタンＢ３を選択する操作を行うと（ステップＳ８；Ｎｏ、Ｓ９；Ｎｏ、Ｓ１０；Ｙｅｓ）、図５（ｃ）に示すとおり、現状の学習単語「ｌｅａｒｎ」の次の単語「ｍｅｍｏｒｉｚｅ」が、その説明情報とともにディスプレイ２に表示される。そして、前の単語「ｌｅａｒｎ」のときと同様にして、模範音声の再生、ユーザ音声の録音、模範音声の再生、録音したユーザ音声の再生が順次行われる（ステップＳ４〜Ｓ７）。
【００４８】
また、ユーザが「終了」ボタンＢ４を選択する操作を行うと（ステップＳ８；Ｎｏ、Ｓ９；Ｎｏ、Ｓ１０；Ｎｏ、Ｓ１１；Ｙｅｓ）、「聞き比べ学習モード」が終了し、すなわち音声出力処理が終了する。
【００４９】
以上の実施形態によれば、図３のステップＳ１，Ｓ２などに示したように、模範音声の出力処理、ユーザ音声の録音処理、及び録音されたユーザ音声の出力処理のうち、少なくとも何れかの処理が行われた単語の履歴が学習履歴データ５８に記憶される。そして、綴り又は発音記号毎に、当該綴り又は発音記号が学習履歴データ５８に記憶されている単語に含まれている頻度が、識別可能にディスプレイ２に表示される。
これにより、ユーザは、綴り又は発音記号毎の発声練習の偏りといった自己の学習傾向を認識することができ、ひいては、従来に比べて発声練習の学習効率を向上させることができる。
さらに、この頻度は学習履歴リストＬとして一覧表示されるので、ユーザは学習履歴リストＬを見るだけで自己の学習傾向を容易に認識することができる。
さらに、この頻度は学習履歴リストＬ内で色分けして表示されるので、ユーザは学習履歴リストＬを一目見るだけで自己の学習傾向をより容易に認識することができる。
【００５０】
また、図３のステップＳ４〜Ｓ１１などに示したように、ユーザが選択した綴り又は発音記号をそれぞれ含む複数の単語（例えば、「ｌｅａｒｎ」と「ｍｅｍｏｒｉｚｅ」）について、模範音声とユーザ音声とが、単語毎に交互に出力されつつ、当該複数の単語で連続してスピーカー７から出力される。
これにより、ユーザは、例えば日本人が苦手としている綴り「Ｒ」や「ＴＨ」の発音など、特定の発音を含む複数の単語を繰り返し聞き比べすることができる。したがって、ユーザが選択した１つの単語だけの聞き比べしかできなかった従来に比べ、発声練習の学習効率を向上させることができる。
【００５１】
なお、本発明を適用可能な実施形態は、上述した実施形態に限定されることなく、本発明の趣旨を逸脱しない範囲で適宜変更可能である。
【００５２】
たとえば、本発明にかかる音声出力装置を電子辞書１に適用した例を説明したが、本発明が適用可能なものはこのような製品に限定されず、タブレットパソコン（またはスマートフォン）や、デスクトップパソコン、ノートパソコン、携帯電話、ＰＤＡ（Personal Digital Assistant）、ゲーム機などの電子機器全般に適用可能である。
本発明にかかる音声出力プログラムも、電子辞書１を含むこれら電子機器に対して着脱可能なメモリカード、ＣＤなどに記憶されることとしてもよい。
【００５３】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲のとおりである。
〔付記〕
［請求項１］
表示手段と、
音声出力手段と、
複数の単語の各模範音声を予め記憶した模範音声記憶手段と、
ユーザ音声を録音する録音手段と、
前記音声出力手段による前記模範音声の出力処理、前記録音手段に録音されたユーザ音声の出力処理、及び前記録音手段によるユーザ音声の録音処理のうち、少なくとも何れかの処理が行われた単語の履歴を記憶する履歴記憶手段と、
綴り又は発音記号毎に、当該綴り又は発音記号が前記履歴記憶手段に記憶されている単語に含まれている頻度を識別可能に、前記表示手段に表示させる表示制御手段と、
を備えることを特徴とする音声出力装置。
［請求項２］
請求項１に記載の音声出力装置において、
前記履歴記憶手段は、前記音声出力手段による前記模範音声の出力処理と、前記録音手段によるユーザ音声の録音処理と、前記音声出力手段による前記模範音声の再出力処理と、前記音声出力手段による前記録音手段に録音されたユーザ音声の出力処理とが、一の単語について連続して行われた場合に、この連続した処理が行われた旨の付加情報を当該一の単語に対応付けて記憶することを特徴とする音声出力装置。
［請求項３］
請求項１又は２に記載の音声出力装置において、
前記表示制御手段は、
前記綴り又は前記発音記号毎に、当該綴り又は発音記号を含んだ単語が前記履歴記憶手段に記憶されている数を前記頻度として識別可能に前記表示手段に表示させることを特徴とする音声出力装置。
［請求項４］
請求項１〜３のいずれか一項に記載の音声出力装置において、
前記表示制御手段は、前記綴り又は前記発音記号毎に、当該綴り又は発音記号が前記履歴記憶手段に記憶されている単語に含まれている頻度を識別可能に、前記表示手段に一覧表示させることを特徴とする音声出力装置。
［請求項５］
請求項４に記載の音声出力装置において、
前記表示制御手段は、前記綴り又は前記発音記号毎に、当該綴り又は発音記号が前記履歴記憶手段に記憶されている単語に含まれている頻度を色で識別可能に、色分けして前記表示手段に表示させることを特徴とする音声出力装置。
［請求項６］
請求項１〜５のいずれか一項に記載の音声出力装置において、
ユーザが前記表示手段に表示された前記綴り又は前記発音記号から１つを選択する選択手段と、
前記選択手段によって選択された前記綴り又は前記発音記号を含む単語について、前記音声出力手段による当該単語の前記模範音声の出力処理と、前記録音手段によるユーザ音声の録音処理と、前記音声出力手段による前記模範音声の再出力処理と、当該録音されたユーザ音声の出力処理と、を連続して行うように前記音声出力手段及び前記録音手段を制御する制御手段と、
を更に備えることを特徴とする音声出力装置。
［請求項７］
表示手段と、音声出力手段と、複数の単語の模範音声を予め記憶した模範音声記憶手段と、ユーザ音声を録音する録音手段とを備えるコンピュータに、
前記音声出力手段による前記模範音声の出力処理、前記音声出力手段による前記録音されたユーザ音声の出力処理、及び前記録音手段による前記ユーザ音声の録音処理のうち、少なくとも何れかの処理が行われた単語の履歴を記憶する履歴記憶機能と、
綴り又は発音記号毎に、当該綴り又は発音記号が前記履歴記憶機能により記憶されている単語に含まれている頻度を識別可能に、前記表示手段に表示させる表示制御機能と、
を実現させることを特徴とする音声出力プログラム。
［請求項８］
表示手段と、音声出力手段と、複数の単語の模範音声を予め記憶した模範音声記憶手段と、ユーザ音声を録音する録音手段とを備えるコンピュータを用いた音声出力方法であって、
前記音声出力手段による前記模範音声の出力処理、前記音声出力手段による前記録音されたユーザ音声の出力処理、及び前記録音手段による前記ユーザ音声の録音処理のうち、少なくとも何れかの処理が行われた単語の履歴を記憶する履歴記憶ステップと、
綴り又は発音記号毎に、当該綴り又は発音記号が前記履歴記憶ステップにより記憶されている単語に含まれている頻度を識別可能に、前記表示手段に表示させる表示制御ステップと、
を含むことを特徴とする音声出力方法。
【符号の説明】
【００５４】
１    電子辞書
２    ディスプレイ
７    スピーカー
８    マイク
５０  フラッシュＲＯＭ
５２  音声出力プログラム
５７  模範音声データ
５８  学習履歴データ
６０  ＲＡＭ
Ｌ    学習履歴リスト
【図１】
0006641680.tif 000002
【図２】
0006641680.tif 000003
【図３】
0006641680.tif 000004
【図４】
0006641680.tif 000005
【図５】
0006641680.tif 000006